(57)【要約】電磁誘導加熱装置の温度制御装置は、パネル（１）と、温度検出センサー（２）と、熱導体（３）と、を含む。前記パネル（１）の外縁の部分を曲げてパネルの上方或いは上表面に置かれるように形成する前記熱導体（３）の接触部は、前記パネル（１）の上に載せる加熱用容器（４）の底面或いは外周面に接触される。前記温度検出センサー（２）は、前記熱導体（３）の上に設置され、且つ電磁誘導加熱装置の制御システムの電気制御部に電気的に接続されている。
2012510709.tif 000002
【特許請求の範囲】
【請求項１】
パネルと、温度検出センサーと、熱導体と、を含み、
前記パネルの外縁の部分を曲げてパネルの上方或いは上表面に置かれるように形成する前記熱導体の接触部は、前記パネルの上に載せる加熱用容器の底面或いは外周面に接触され、
前記温度検出センサーは、前記熱導体の上に設置され、且つ電磁誘導加熱装置の制御システムの電気制御部に電気的に接続されていることを特徴とする電磁誘導加熱装置の温度制御装置。
【請求項２】
前記熱導体の形状が片状又は塊状であり、形状的には、規則的な形状又は非規則的な形状であることを特徴とする請求項１に記載の電磁誘導加熱装置の温度制御装置。
【請求項３】
前記熱導体は、前記パネルの外側のブラケットに固定されていることを特徴とする請求項１又は請求項２に記載の電磁誘導加熱装置の温度制御装置。
【発明の詳細な説明】
【技術分野】
【０００１】
本発明は、電磁誘導加熱装置に関し、特に、電磁誘導加熱装置に使用される温度制御装置に関する。
【背景技術】
【０００２】
現在、様々な電磁誘導加熱装置が人々の生活で広く使用されている。前記電磁誘導加熱装置は、加熱速度が速く、使用安全性が高いという利点があり、人々に人気がある。しかし、前記電磁誘導加熱装置の加熱速度が速いので、その温度を細かく制御しないと、過熱して食べ物が焦げてしまうおそれがある。そのため、温度制御装置を設置して電磁誘導加熱装置の温度を素早く、正確に制御する必要がある。
【発明の概要】
【発明が解決しようとする課題】
【０００３】
本発明の主な目的は、安全であり、且つ電磁誘導加熱装置の温度を素早く、正確に制御することができる電磁誘導加熱装置の温度制御装置を提供することにある。
【課題を解決するための手段】
【０００４】
上記課題を解決するために本発明では、以下の特徴を有する電磁誘導加熱装置の温度制御装置を提供する。前記電磁誘導加熱装置の温度制御装置は、パネルと、温度検出センサーと、熱導体と、を含む。前記パネルの外縁の部分を曲げてパネルの上方或いは上表面に置かれるように形成する熱導体の接触部は、パネルの上に載せる加熱用容器の底面或いは外周面に接触される。前記温度検出センサーは、前記熱導体の上に設置され、且つ電磁誘導加熱装置の制御システムの電気制御部に電気的に接続されている。
【０００５】
上述する電磁誘導加熱装置において、前記熱導体の形状が片状或いは塊状であるか、或いは規則的な形状或いは非規則的な形状である。
【０００６】
上述する電磁誘導加熱装置において、前記熱導体が前記パネルの外側のブラケットに固定されている。
【発明の効果】
【０００７】
本発明の電磁誘導加熱装置の温度制御装置によれば、熱導体が加熱用容器の表面に緊密に接触され、且つ前記温度検出センサーが前記熱導体の上に装着されているので、温度を安定、正確に検出することができる。従って、前記電磁誘導加熱装置の加熱温度を素早く、正確に制御することができる。
【０００８】
また、前記熱導体が前記パネルの外側のブラケットに固定されているので、パネルに熱導体固定用穴を形成する必要がない。即ち、パネルに穴を形成する従来技術の欠点を避けることができるので、パネルの完璧な表面を保つことができる。且つ、穴のないパネルは、パネルの構造を簡単にし、製造コストを減らすことができる。
【図面の簡単な説明】
【０００９】
【図１】本発明の第一実施形態に係る電磁誘導加熱装置の温度制御装置を示す断面図である。
【図２】本発明の第二実施形態に係る電磁誘導加熱装置の温度制御装置を示す断面図である。
【図３】本発明の第三実施形態に係る電磁誘導加熱装置の温度制御装置を示す断面図である。
【図４】本発明の第四実施形態に係る電磁誘導加熱装置の温度制御装置を示す断面図である。
【発明を実施するための形態】
【００１０】
以下、図１〜図４を参照しながら、本発明の実施形態に係る電磁誘導加熱装置の温度制御装置に対して詳しく説明する。本発明の電磁誘導加熱装置の温度制御装置は、主にパネル１と、温度検出センサー２と、熱導体３と、を含む。前記パネル１は、電磁コイル６の上方に設置されている。前記パネル１の外縁の部分を曲げて前記パネル１の上方或いは上表面に置かれるようにする前記熱導体３の接触部は、前記パネル１に載せる加熱用容器４の底面或いは外周面に接触される。前記温度検出センサー２は、前記熱導体３に設置され、且つ電磁誘導加熱装置の制御システムの電気制御部に電気的に接続されている。前記制御システムは、電磁装置に広く使用される制御システムである。例えば、クッキングヒーターなどに広く使用されている制御システムで、本説明書でその制御システムの機能或いは原理などに対しては詳しい説明を省略する。
【００１１】
本発明の熱導体３は、片状或いは塊状に形成するか、或いは規則的な形状或いは非規則的な形状に形成することができる。前記熱導体３が前記パネル１の外側のブラケット５に固定されているので、前記パネル１に熱導体３を固定するための穴を形成する必要がない。前記ブラケット５は、直接に前記電磁誘導加熱装置と一体に形成するか、或いは両者を別々に製造する後に一体に組み立てることができる。前記パネル１の外縁を包装するフレームを前記ブラケット５にしてもよい。
【００１２】
実施例１：
図１は、本発明の第一実施形態に係る電磁誘導加熱装置の温度制御装置を示す断面図である。図１のパネル１は、平板状パネルである。前記パネル１の外縁位置の熱導体３は、前記パネル１の上方或いは上表面に置かれるように曲がられている。前記熱導体３の数量は、実の需要に従って選択することができる。温度検出センサー２は、前記熱導体３に設置されている。平面型底面を有する加熱用容器４を前記パネル１の上に載せる場合、前記熱導体３が前記加熱用容器４の平面型底面に緊密に接触する。前記温度検出センサー２が前記熱導体３の温度を検出し、検出する温度信号を制御システムに入力するので、前記電磁誘導加熱装置の温度を制御する。
【００１３】
図１の実施形態において、前記熱導体３が片状に形成されているので、加熱用容器４をパネル１の上に載せる場合、前記熱導体３と前記加熱用容器４が緊密に接触する。図２に示すように、前記熱導体３を弾性片状に形成して、熱導体３がパネル２の上方に置かれるようにすることもできる。前記熱導体３の上に加熱用容器４を載せる場合、熱導体３の弾性によって熱導体３が加熱用容器４の底面に緊密に接触する。図２には、前記加熱用容器４と前記パネル１との間に加熱用容器４を支持する支持脚７が形成されている。
【００１４】
実施例２：
図３は、本発明の第二実施形態に係る電磁誘導加熱装置の温度制御装置を示す断面図である。図３のパネル１は、円弧状パネルに形成されているので、円弧型底面を有する加熱用容器４を載せることができる。熱導体３は、前記パネル１の形状に従って円弧状に形成され、且つ前記パネル１の上方或いは上表面まで延ばされている。温度検出センサー２は、前記熱導体３に設置されている。前記パネル１の上に加熱用容器４を載せる場合、前記熱導体３が前記加熱用容器４の平面型底面に緊密に接触する。前記温度検出センサー２が前記熱導体３の温度を検出し、検出する温度信号を制御システムに入力するので、前記電磁誘導加熱装置の温度を制御することができる。
【００１５】
図２の実施形態のように、図３の熱導体３も弾性片状に形成して、パネル２の上方まで延ばさせることもできる。前記熱導体３の上に加熱用容器４を載せる場合、熱導体３の弾性によって熱導体３が加熱用容器４の底面に緊密に接触する。この実施形態も上述するように電磁誘導加熱装置の温度を制御することができる。
【００１６】
実施例３：
図４は、本発明の第三実施形態に係る電磁誘導加熱装置の温度制御装置を示す断面図である。図４のパネル１は、平面状パネルに形成されている。前記パネル１の外縁部分の熱導体３が曲げられて、前記パネル１の上方に延ばされている。前記熱導体３は、内部の方向へ収縮することができる弾性熱導体である。前記熱導体３の数量は、実際需要に従って選択することができる。温度検出センサー２は、前記熱導体３に設置されている。加熱用容器４をパネル１の上に載せる場合、前記熱導体３の弾性力によって内部へ収縮するので、熱導体３が加熱用容器４の外周面に緊密に接触することができる。前記温度検出センサー２が前記熱導体３の温度を検出し、検出する温度信号を制御システムに入力するので、前記電磁誘導加熱装置の温度を制御することができる。
【００１７】
上述のように、本発明はいくつかの実施例を開示しているが、本発明の特許範囲を限定するものではない。本発明の温度制御装置は、卓上型電磁調理器、電磁圧力鍋、電磁焼肉装置、電磁型熱湯装置などのような加熱装置に使用して、これらの加熱装置の温度を素早く、正確に測定し、加熱装置の安定性を保つことができる。即ち、本発明の主旨及び範囲を逸脱せずに行う各種の改良又は変更は、本発明の後述の請求項に当然含まれるものとする。
【図１】
2012510709.tif 000003
【図２】
2012510709.tif 000004
【図３】
2012510709.tif 000005
【図４】
2012510709.tif 000006
【国際調査報告】
2012510709.tif 000007
2012510709.tif 000008
2012510709.tif 000009
2012510709.tif 000010
2012510709.tif 000011
2012510709.tif 000012
2012510709.tif 000013